(57)【要約】  座具（１）は、着座者の着座時に着座者の臀部を支持する臀部支持部材（５）と、臀部支持部材（５）の後方側、かつ、臀部支持部材（５）に臀部が支持された状態で着座する着座者の仙骨の下方側において、上面視したときに地面が見える状態で地面に至るまで上下方向に延在する貫通孔（８）が形成された貫通孔形成部材（１０）とを備えており、着座者が臀部支持部材（５）に臀部が支持されるように座具（１）に着座したときに、着座者の仙骨の下方に、地面につながり上下方向に延在する貫通孔（８）が存在するようにした。
2021111638.tif 000002
【特許請求の範囲】
【請求項１】
着座者の着座時に前記着座者の臀部を支持する臀部支持部と、  前記臀部支持部の後方側、かつ、前記臀部支持部に臀部が支持された状態で着座する前記着座者の仙骨の下方側において、上面視したときに地面が見える状態で地面に至るまで上下方向に延在する貫通孔を形成する貫通孔形成部と、  を備えることを特徴とする座具。
【請求項２】
前記貫通孔を挟んで前記臀部支持部に対向する位置に設けられ、前記臀部支持部に臀部が支持された状態で着座する前記着座者の尾骨ないし仙骨に対応する部位に接触する当接部を更に備えることを特徴とする請求項１に記載の座具。
【請求項３】
前記臀部支持部は、前記着座者の着座時に前記着座者の一対の坐骨を支持する一対の坐骨支持部を備えることを特徴とする請求項１に記載の座具。
【請求項４】
１つの前記坐骨支持部は、柱状の部材であり、  前記臀部支持部は、前記一対の坐骨支持部の側面が接触部分で接触するように並んで配置されることによって構成され、  前記着座者が着座したときに、一方の坐骨が一方の坐骨支持部に支持され、他方の坐骨が他方の坐骨支持部に支持され、前記着座者の上半身の左右方向の中心部に前記接触部分が位置するようにしたことを特徴とする請求項３に記載の座具。
【請求項５】
前記貫通孔を挟んで前記接触部分に対向する位置に設けられ、前記臀部支持部に臀部が支持された状態で着座する前記着座者の前記着座者の尾骨ないし仙骨に対応する部位に接触する当接部を更に備えることを特徴とする請求項４に記載の座具。
【請求項６】
前記貫通孔形成部は、前記接触部分を基端部として前記一方の坐骨支持部の後方側の面に沿って一定量だけ延在する一方側面部と、前記接触部分を基端部として前記他方の坐骨支持部の後方側の面に沿って一定量だけ延在する他方側面部と、前記一方側面部の先端部と前記他方側面部の先端部との間に介在し、前記臀部支持部の後方側に向かって凸となるように湾曲または屈曲した後方面部とを備え、  前記貫通孔は、前記一方側面部と前記他方側面部と前記後方面部とで囲まれた部位に形成されることを特徴とする請求項４に記載の座具。
【請求項７】
前記後方面部において前記接触部分に対向する位置に設けられ、前記臀部支持部に臀部が支持された状態で着座する前記着座者の尾骨ないし仙骨に対応する部位に接触する当接部を更に備えることを特徴とする請求項６に記載の座具。
【請求項８】
前記貫通孔形成部は、  前記一方側面部と、前記一方側面部に接続され、前記後方面部の左右方向の一方の半分の部位に対応する一方後方面部とを有する一方貫通孔形成部、および  前記他方側面部と、前記他方側面部に接続され、前記後方面部の左右方向の他方の半分の部位に対応する他方後方面部とを有する他方貫通孔形成部が接続されて構成され、  前記一方貫通孔形成部および前記他方貫通孔形成部は同一形状であることを特徴とする請求項６または７に記載の座具。
【請求項９】
前記貫通孔形成部は、前記接触部分から前記一方の坐骨支持部の後方側の面に沿って一定量だけ離間した位置と、前記接触部分から前記他方の坐骨支持部の後方側の面に沿って一定量だけ離間した位置との間に介在し、前記臀部支持部の後方側に向かって凸となるように湾曲または屈曲した後方面部を備え、  前記貫通孔は、前記一方の坐骨支持部の後方側の面の一部と、前記他方の坐骨支持部の後方側の面の一部と、前記後方面部とで囲まれた部位に形成されることを特徴とする請求項４に記載の座具。
【請求項１０】
前記後方面部において前記接触部分に対向する位置に設けられ、前記臀部支持部に臀部が支持された状態で着座する前記着座者の尾骨ないし仙骨に対応する部位に接触する当接部を更に備えることを特徴とする請求項９に記載の座具。
【請求項１１】
前記貫通孔形成部は、  前記後方面部の左右方向の一方の半分の部位に対応する一方後方面部、および、  前記後方面部の左右方向の他方の半分の部位に対応する他方後方面部が接続されて構成され、  前記一方後方面部、および、前記他方後方面部は同一形状であることを特徴とする請求項９または１０に記載の座具。
【請求項１２】
１つの前記坐骨支持部は、柱状の柱部と、前記柱部の上面から隆起した隆起部とを備え、  前記着座者が着座したときに、一方の坐骨が前記一方の坐骨支持部の前記隆起部に支持され、他方の坐骨が前記他方の坐骨支持部の前記隆起部に支持されるようにしたことを特徴とする請求項４から１１の何れか１項に記載の座具。
【請求項１３】
前記隆起部は、上面視したとときに、前記柱部の上面の中央部を通って左右方向に延在していることを特徴とする請求項１２に記載の座具。
【請求項１４】
前記隆起部は、前記柱部の上面から隆起した柱状の部材であることを特徴とする請求項１２に記載の座具。
【請求項１５】
前記貫通孔よりも後方であって、上面視したときに前記貫通孔を避けた場所に設けられ、前記着座者が着座したときに前記着座者の臀部を後ろから包み込むように覆う臀部被覆部を更に備えることを特徴とする請求項１から１４の何れか１項に記載の座具。
【請求項１６】
前記臀部被覆部は、前記着座者の臀部の後方側で、上方に向かうほど断面の左右対称性が維持されつつ、断面の弧が長さが小さくなっていくように延在していることを特徴とする請求項１５に記載の座具。
【請求項１７】
前記臀部被覆部を着脱可能としたことを特徴とする請求項１５または１６に記載の座具。
【請求項１８】
前記臀部支持部は透明部材で構成されていることを特徴とする請求項１から１７の何れか１項に記載の座具。
【発明の詳細な説明】
【技術分野】
【０００１】  本発明は、着座者が着座可能な座具に関する。
【背景技術】
【０００２】  体幹（人間が背骨をまっすぐに伸ばして体の軸を作る際に重要となる筋肉、特には、背骨の最も近くにある筋肉（インナーマッスル））を鍛えることが、健康維持やスポーツのパフォーマンス向上の点などから重要と知られている。これに伴い近年、着座時に体幹を鍛えることができる座具が開発されている。例えば特許文献１には、脊柱の適正位置（ニュートラルポジション）を保持しつつ、継続的な脊柱起立筋群のバランス運動を実現することを目的として、内部空気量の調節により膨張・収縮が可能な空気袋としての主座部と、内部にクッション材が収納される被覆袋としての副座部とを備えた着座具が開示されている。【０００３】  また、一般に、精神面のリフレッシュや集中力の向上には、瞑想状態（禅の世界において精神が統一されたとされる状態や、心が落ち着いているとされる状態等の精神的に充実した状態も含む）に入ることが効果的であるとされている。更に、瞑想状態に入ることで、体の免疫力が高まるという研究結果もある。これに伴い近年、ユーザを瞑想状態へ誘導する様々な器具が提案されている。例えば特許文献２には、ユーザが座る座席部と、背もたれ部の背面に設けられた照明体と、ユーザのα波を検出するα波検出装置と、このα波検出装置により測定された値の変化に対応させて照明体の照明を変化させる制御装置と、座席部の周囲に設けられたフードと、このフードに設けられ照明体からの照明を反射しフード内を間接照明する反射板と、信号を発する呼吸調整器とを備え、ユーザをリラックスさせて瞑想状態へと誘導する瞑想装置が開示されている。【０００４】
【特許文献１】特開２０１５−１２６８７０号公報
【特許文献２】特開平５−２５３３０２号公報
【発明の概要】
【発明が解決しようとする課題】
【０００５】  しかしながら、特許文献１の着座具では、一定の体幹向上効果が得られるものの主座部の空気の調整が難しく、より簡易的に体幹を鍛えることが可能な座具が望まれていた。また、特許文献２の瞑想装置は、大掛かりな装置であり、装置の構成も複雑であるため、より小型でシンプルな構成の器具により、瞑想へ誘導できる器具の提供が望まれていた。【０００６】  本発明は、このような問題を解決するために成されたものであり、着座者が簡易的に体幹を鍛えることができ、かつ、小型でシンブルな構成で着座者を瞑想状態へ誘導できる座具を提供することを目的とする。
【課題を解決するための手段】
【０００７】  上記した課題を解決するために、本発明の座具は、着座者の着座時に着座者の臀部を支持する臀部支持部と、臀部支持部の後方側、かつ、臀部支持部に臀部が支持された状態で着座する着座者の仙骨の下方側において、上面視したときに地面が見える状態で地面に至るまで上下方向に延在する貫通孔が形成された貫通孔形成部とを備えている。
【発明の効果】
【０００８】  上記のように構成した本発明によれば、着座者は、座具に着座したときに、自身の背骨の下方側に地面が見える状態で上下方向に延在する貫通孔が存在することを認識することによって、意識的または無意識的に貫通孔が延在する方向に沿って背筋を伸ばそうとする。このため、本発明によれば、座具に着座する着座者に、背筋を伸ばさせて、インナーマッスルに適度な力がかかった状態を維持させることができる。このため、着座者は、困難な作業を行うことなく、座具に着座するという単純な作業により簡易的に体幹を鍛えることができる。【０００９】  また、本発明によれば、着座者は、座具に着座したときに、自身の背骨の下方側に地面が見える状態で上下方向に延在する貫通孔が存在することを認識することによって、地面と空（宇宙）とが自身の背骨を通してつながるようなイメージを抱きやすく、このイメージが着座者を瞑想状態へ入りやすい状態とする。すなわち、本発明によれば、α波検出装置や呼吸調整器等の電子機器を有さない小型でシンブルな構成で着座者を瞑想状態へ誘導できる。
【図面の簡単な説明】
【００１０】
【図１】本発明の一実施形態に係る座具の斜視図である。
【図２】本発明の一実施形態に係る座具の上面図である。
【図３】図２のＡ−Ａ断面図である。
【図４】人間の腰から臀部にかけての骨を模式的に示す図である。
【図５】本発明の一実施形態に係る貫通孔形成部材の斜視図である。
【図６】着座者が座具に着座した様子を示す図である。
【図７】第１変形例に係る座具の斜視図である。
【図８】第２変形例に係る座具の斜視図である。
【図９】第３変形例に係る座具の斜視図である。
【図１０】足部材の別例を示す図である。
【図１１】第４変形例に係る座具の斜視図である。
【図１２】第５変形例に係る座具の斜視図である。
【図１３】第５変形例に係る貫通孔形成部材の斜視図である。
【図１４】着座者が座具に着座した様子を示す図である。
【図１５】第６変形例に係る坐骨支持部材の斜視図である。
【図１６】第６変形例に係る座具の上面図および正面図である。
【図１７】坐骨支持部材の別例を示す図である。
【図１８】第７変形例に係る座具の上面図および正面図である。
【図１９】第８変形例に係る座具の上面図である。
【図２０】第９変形例に係る座具の上面図である。
【図２１】第８変形例に係る座具の別例の上面図である。
【図２２】その他の変形例に係る座具の上面図である。
【発明を実施するための形態】
【００１１】  以下、本発明の一実施形態を図面に基づいて説明する。図１は、座具１の斜視図である。図２は、座具１の上面図である。図３は、図２のＡ−Ａ断面図である。図４は、人間の腰から臀部にかけての骨を模式的に示す図である。なお以下の説明では、上下方向、左右方向、前後方向は、図１〜３において両矢印で示した方向に従うものとする。上下方向は、座具１が通常の態様で地面２（図３）に載置されたときの鉛直方向に対応する。また、前後方向の前方は、着座者３（後述する図６参照）が座具１に正常に着座したときに着座者３の身体のお腹が向く向きであり、後方は、当該身体の背中が向く向きである。正常な着座については後述する。また、左右方向は、上下方向に対して垂直な水平面上で前後方向と直行する方向であり、左右方向の右方は、前方に向かって右向きであり、左方は、前方に向かって左向きである。
【００１２】  以下の説明では、「地面２」とは、座具１が載置される平面状の領域の総称である。従って、室内の畳やフローリングに座具１が載置される場合には、これらが「地面２」に相当する。また、説明の便宜のため、図面（図１〜３に限られない）中に示した各部材の寸法が、実際の寸法とは異なる比率で示されている場合がある。
【００１３】  座具１は、着座者３が腰掛け椅子のようにして座ることが可能な器具である。特に本実施形態に係る座具１は、体幹を鍛える目的、瞑想状態（本実施形態では、禅の世界において精神が統一されたとされる状態や、心が落ち着いているとされる状態等の精神的に充実した状態も含む）へ入る目的、または、双方の目的を持って着座者３が利用することが想定されている。
【００１４】  図１、２で示すように、座具１は、臀部支持部材５（特許請求の範囲の「臀部支持部」に相当）を備える。臀部支持部材５は、着座者３の着座時に着座者３の臀部を支持する部材であり、右側に配置された坐骨支持部材６Ｒ（特許請求の範囲の「坐骨支持部」に相当）と左側に配置された坐骨支持部材６Ｌ（特許請求の範囲の「坐骨支持部」に相当）とを含む一対の坐骨支持部材６Ｒ、６Ｌ（特許請求の範囲の「一対の坐骨支持部」に相当）を備える。以下、坐骨支持部材６Ｒと坐骨支持部材６Ｌとを区別しない場合は「坐骨支持部材６」という。
【００１５】  一対の坐骨支持部材６Ｒ、６Ｌは、着座者３の着座時に着座者３の一対の坐骨（図４参照）を支持する部材である。坐骨支持部材６Ｒ、６Ｌの形状は円柱である。また坐骨支持部材６Ｒと坐骨支持部材６Ｌとは同じ形状である。臀部支持部材５は、一対の坐骨支持部材６Ｒ、６Ｌの側面が接触部分７（図１、２参照）で接触するように左右方向に並んで配置されることによって構成される。ここでの接触は、接触している状態と同視できる程度に近接している状態も含み、この場合、接触部分７とは、一対の坐骨支持部材６Ｒ、６Ｌが最も近接する部分を意味する。座具１は、地面２に一対の坐骨支持部材６Ｒ、６Ｌが立設されることによって、地面２に起立した状態で載置される。
【００１６】  坐骨支持部材６Ｒ、６Ｌは、少なくとも着座者３の臀部と接する部分が柔軟性を有する部材により構成されていることが好ましい。着座者３の臀部と接する部分にある程度の柔軟性を持たせることで、着座者３の臀部に加わる負担を減らし、座った際の不快感を取り除くことができる。柔軟性を有する部材については、例えば、ゴム製の部材や、綿を充填した部材、ウレタン等の柔軟性を持った樹脂製の部材とすることができ、これらの中でも、ゴム製の部材を用いることが好ましい。なお、柔軟性を有する部材とするのは、坐骨支持部材６Ｒ、６Ｌの全体でもよいし、着座者３の臀部と接する表面に一定の厚さの部分としてもよい。
【００１７】  また、坐骨支持部材６Ｒ、６Ｌの形状を円柱とする場合、その直径Ｄ１（図２参照）を１２〜２０ｃｍとすることが好ましい。坐骨支持部材６Ｒ、６Ｌの直径Ｄ１を上記範囲とすることで、人間の標準的な一対の坐骨の離間量を考慮して、着座者３の着座に際して、着座者３の一対の坐骨に対応する部位を一対の坐骨支持部材６Ｒ、６Ｌに的確に位置させることができると共に、後述する貫通孔８を十分に確保できる。
【００１８】  坐骨支持部材６Ｒ、６Ｌ（＝臀部支持部材５）の高さＨ１（図３）は、座具１の用途や、ターゲットとする年齢層の着座者３の標準的な体の大きさ等に応じて適宜設定できるが、正常に着座する着座者３の足裏が余裕を持って地面２に着いた状態となるようにすることが好ましい。一例として、高さＨ１は、６０ｃｍ以下とされる。高さＨ１が６０ｃｍを超えると、足裏が地面２から離れる場合があり、着座者３の姿勢の不安定化の原因となり、後に明らかとなる通り、体幹を鍛える効果および瞑想への誘導効果が十分に得られないおそれがあるからである。
【００１９】  図１〜３で示すように、臀部支持部材５の後方には、貫通孔形成部材１０（特許請求の範囲の「貫通孔形成部」に相当）が設けられている。図５は、貫通孔形成部材１０の斜視図である。貫通孔形成部材１０は、上面視したときに地面２が見える状態で地面２に至るまで上下方向に延在する貫通孔８が形成された部材である。図３で示すように、貫通孔形成部材１０は、その上面が、臀部支持部材５の上面よりも若干低くなるよう構成されている。ただし貫通孔形成部材１０の上面の高さを、臀部支持部材５の上面の高さと同じとしてもよい。図１、２、５で示すように、貫通孔形成部材１０は、右方側面部材１１（特許請求の範囲の「一方側面部」に相当）と、左方側面部材１２（特許請求の範囲の「他方側面部」に相当）とを備える。
【００２０】  右方側面部材１１には坐骨支持部材６Ｒの側面の弧の形状に従って湾曲した嵌め込み部１３Ｒ（図５参照）が形成されている。坐骨支持部材６Ｒは、嵌め込み部１３Ｒに嵌め込まれ、固定される。坐骨支持部材６Ｒが嵌め込み部１３Ｒに嵌め込まれると、右方側面部材１１は、接触部分７を基端部として坐骨支持部材６Ｒの後方側の面に沿って一定量だけ延在した状態となる。左方側面部材１２には坐骨支持部材６Ｌの側面の弧の形状に従って湾曲した嵌め込み部１３Ｌ（図５参照）が形成されている。坐骨支持部材６Ｌは、嵌め込み部１３Ｌに嵌め込まれ、固定される。坐骨支持部材６Ｌが嵌め込み部１３Ｌに嵌め込まれると、左方側面部材１２は、接触部分７を基端部として坐骨支持部材６Ｌの後方側の面に沿って一定量だけ延在した状態となる。一対の坐骨支持部材６Ｒ、６Ｌの双方が貫通孔形成部材１０に固定されると、一対の坐骨支持部材６Ｒ、６Ｌは、接触部分７で接触した状態で左右方向に並んで配置される。
【００２１】  図１〜３、５で示すように、貫通孔形成部材１０は、右方側面部材１１の先端部と左方側面部材１２の先端部との間に介在し、臀部支持部材５の後方側に向かって凸となるように湾曲した後方面部材１４（特許請求の範囲の「後方面部」に相当）を備える。右方側面部材１１と左方側面部材１２と後方面部材１４とで囲まれた部位に貫通孔８が形成される。貫通孔８は、上面視したときに地面２が見える状態で（特に図２参照）、地面２に至るまで上下方向に延在する。貫通孔８は、臀部支持部材５の後方側であって、かつ、後に明らかとなる通り、臀部支持部材５に臀部が支持された状態で正常に着座する着座者３の仙骨（図４）の下方側に位置する。
【００２２】  貫通孔形成部材１０は、貫通孔８を形成する部材である。貫通孔形成部材１０によって貫通孔８を形成することの効果については後に詳述するが、貫通孔形成部材１０が存在することによって、座具１の地面２に接する部分が増え、座具１を地面２に載置したとき、および、地面２に載置された座具１に着座者が着座しているときの座具１の安定性が向上する。
【００２３】  貫通孔形成部材１０の左右方向の最大幅Ｗ１（図２）については、臀部支持部材５の形状や、座具１の用途等に応じて適宜設定できる。例えば最大幅Ｗ１は、１０〜５０ｃｍの範囲で設定することができる。ただし最大幅Ｗ１は、１５〜４０ｃｍの範囲であることが好ましい。最大幅Ｗ１を上記範囲とすることで、坐骨支持部材６Ｒ、６Ｌの取り付けを確実に行うことができ、また着座した際の安定性も得られる。
【００２４】  貫通孔形成部材１０を構成する材料については、着座者３が着座する器具として耐えられる強度を有するものであればよく、特に限定はされない。例えば、貫通孔形成部材１０は、木に由来する材料（ベニア板や、竹材等）や、金属に由来する材料（鉄や、鋼、合金等）、陶磁器、ガラス、藤、石、コンクリート、繊維、炭素繊維、ゴム、プラスチック、紙等から構成することができる。また、貫通孔形成部材１０の厚さＴ１（図２参照）については、特に限定はされず 、形状や用いる材料等に応じて適宜設定することができる。ただし、軽量化の観点および貫通孔８を広く確保する観点からは、厚さＴ１を２０ｍｍ以下とすることが好ましく、１５ｍｍ以下とすることがより好ましい。更に貫通孔形成部材１０の表面は必要に応じて、防錆や、防疵のためのコーティングを施したり、意匠性を高めるための装飾等を施すこともできる。
【００２５】  なお、貫通孔８の開口面積は２０ｃｍ２以上であることが好ましく、２５ｃｍ２以上であることがより好ましく、３０ｃｍ２以上であることが更に好ましい。開口面積を２０ｃｍ２以上とすることにより、座具１を地面２に載置した際の安定性を高めることができると共に、後に明らかとなる通り、より高い瞑想状態への導入効果を期待できる。
【００２６】  図１〜３、５で示すように、貫通孔形成部材１０の後方面部材１４において、臀部支持部材５の接触部分７に対向する位置には、当接部材１６（特許請求の範囲の「当接部」に相当）が取り付けられている。当接部材１６は、楕円球状の柔軟性を有する部材である。当接部材１６は、臀部支持部材５に臀部が支持された状態で正常に着座する着座者３の尾骨ないしは仙骨の先端部（図４参照。以下、尾骨ないし仙骨の先端部を総称して「尾骨等」という）に対応する部位に接触する部材である。当接部材１６の下部には切り欠きが形成されており、当接部材１６は、この切り欠きに後方面部材１４が挿入された状態で、後方面部材１４に固定されている。
【００２７】  当接部材１６の形状については、着座者３の尾骨等に対応した部分に設けられており、尾骨等に接触可能な形状できれば、特に限定はされない。ただし、尾骨等に接触可能であり、貫通孔８を不必要に覆わないという点からは楕円球状であることが好ましい。なお、要求される性能や設計事項等に応じて、当接部材１６ の形状を適宜変更することができる。例えば、当接部材１６を、棒状（円柱状）とすることもできる。更に、当接部材１６が楕円球状である場合、その長径Ｄ２（図２参照。水平方向で最も長い径）が５〜８ｃｍであり、高さＨ２（図３参照。鉛直方向で最も長い径）が６〜１２ｃｍであることが好ましい。長径Ｄ２および高さＨ２を上記範囲とすることで、着座者３が座具１に正常に着座したときに、尾骨等に対応する部位に当接部材１６をより確実に接触させることができると共に、貫通孔８を十分に確保できるためである。なお、当接部材１６が楕円球以外の形状であっても、同様の観点から、高さＨ２を同様の範囲とすることが好ましい。
【００２８】  更に当接部材１６の上端１６Ｕは、図３で示すように、着座時に一対の坐骨支持部材６Ｒ、６Ｌが一対の坐骨に当接し、かつ、当接部材１６が尾骨等と当接するという構造上、一対の坐骨支持部材６Ｒ、６Ｌの上面よりも上方に設けられる。当接部材１６の上端１６Ｕの高さ位置は適宜設計することができるが、一対の坐骨支持部材６Ｒ、６Ｌの上面との高さの差Ｇ１（図３）が、３〜１０ｃｍとなるようにすることが好ましい。
【００２９】  なお、当接部材１６を、後方面部材１４に取り付ける方法については特に限定はされない。例えば、切り欠きと後方面部材１４との間に生じる摩擦力で取り付けることも可能であり、専用の取付機構や、ネジ止めによって取り付けることも可能であり、溶着や、接着剤を用いて接合することもできる。ただし、当接部材１６は、後方面部材１４から着脱可能であることが好ましい。これにより、着座者３が座具１を使用する目的に応じてまたは着座者３の気分に応じて、着座者３が当接部材１６を付けたり外したりすることができる。
【００３０】  以上の構造的特徴を有する座具１に着座者３は以下の態様で着座する。また、座具１は、その構造的特徴により以下の効果をもたらす。図６は、着座者３が座具１に正常に着座したときの様子を座具１の右側から左方へ向かって見た図である。ただし図６では、座具１は、図２のＡ−Ａ断面で切断した図としている。図６において、符号Ｐ１は坐骨に対応する部位を示し、符号Ｐ２は尾骨等（尾骨ないし仙骨の先端部）に対応する人間の部位を示している。以下、坐骨に対応する部位Ｐ１を「坐骨対応部位Ｐ１」といい、尾骨等に対応する部位Ｐ２を「尾骨等対応部位Ｐ２」という。
【００３１】  図６で示すように、着座者３は、自身の一対の坐骨のそれぞれの坐骨対応部位Ｐ１が、一対の坐骨支持部材６Ｒ、６Ｌの上面の中心部領域内に位置し、かつ、尾骨等対応部位Ｐ２が当接部材１６に触れた状態となるように座具１に着座する。ただし、図６では、右側の坐骨対応部位Ｐ１が坐骨支持部材６Ｒの上面の中心領域内に位置している様子が描画されている。着座者３は、このような状態となるようにすることを意識しつつ、座具１に着座する。この状態が、正常に着座した状態である。なお、坐骨支持部材６の上面の中心部領域とは、坐骨支持部材６の上面の中心点を含む、ある程度の広がりを持った領域のことである。
【００３２】  当接部材１６は座具１の左右方向の中心部であって、臀部支持部材５から貫通孔８分の距離をあけて離間した位置に設けられているため、着座者３が自身の尾骨等対応部位Ｐ２を当接部材１６に当接させることを意識しつつ着座すると、自然と着座者３の上半身の左右方向の中心部が座具１の左右方向の中心部に位置した状態となり、また自然と一対の坐骨対応部位Ｐ１が、一対の坐骨支持部材６Ｒ、６Ｌの中央部領域に位置した状態となり、正常な着座が完了する。着座者３の一対の坐骨対応部位Ｐ１が一対の坐骨支持部材６Ｒ、６Ｌの中央部領域に位置した状態となると、一対の坐骨が一対の坐骨支持部材６Ｒ、６Ｌに支持され、ひいては臀部支持部材５により着座者３の臀部が支持された状態となる。
【００３３】  上述したように、一対の坐骨支持部材６Ｒ、６Ｌは、地面２に起立する独立した円柱状の部材であり、一対の坐骨支持部材６Ｒ、６Ｌの中心部領域に一対の坐骨対応部位Ｐ１がバランスよく位置したときに着座が安定し、また、このようなときに着座が安定するとのイメージを着座者３に抱かせる。このことも、一対の坐骨対応部位Ｐ１が一対の坐骨支持部材６Ｒ、６Ｌの中心部領域内に位置した状態で座具１に着座することを着座者３に意識させる。
【００３４】  図２において符号Ｒ１が付与された破線の円は、着座者３が正常に着座したときに仙骨が位置する大体の領域を示している。図６において符号Ｒ２が付与された破線の円は、仙骨の大体の位置を示している。図２、６で示すように、貫通孔８は、臀部支持部材５に臀部が支持された状態で座具１に正常に着座する着座者３の仙骨の下方側に位置する。そして、地面２が見える状態で地面２に至るまで上下方向に延在する貫通孔８の存在が、あるいは、このような貫通孔８が自身の仙骨の下方側に存在するとの認識が以下の効果を生む。
【００３５】  すなわち、着座者３は、自身の仙骨の下方側に地面２が見える状態で地面２に至るまで上下方向に延在する貫通孔８が存在することを認識することによって、意識的または無意識的に貫通孔８が延在する方向、つまり上下方向に沿って仙骨につながる背筋を伸ばそうとする。このため、本実施形態によれば、座具１に着座する着座者３に、背筋を伸ばさせて、インナーマッスルに適度な力が加わった状態を維持させることができる。従って、着座者３は、何らかの器具の空気の調整をするといった困難な作業を行うことなく、座具１に正常に着座するという単純な作業により簡易的に体幹を鍛えることができる。
【００３６】  着座者３が仙骨の下方側に貫通孔８が存在することを認識することにより背筋を伸ばそうとすることの理由としては以下の事由が考えられる。すなわち、自身の仙骨の直下にある、地面２につながる空洞の存在が、着座者３に対して一種の緊張感を与え、意識的または無意識的に背筋を伸ばさせることが考えられる。また、物理的な背もたれが設けられていない中、貫通孔８の存在が、貫通孔８に刺さって空に向かって延びる背もたれや柱のイメージを着座者３に与え、このイメージが着座者３に意識的または無意識的に背筋を伸ばさせることが考えられる。なお、臀部支持部材５の後方側に、地面に連通しかつ上下方向に延在する貫通孔８を設けなかった場合、例えば、後方面部材１４を取り外して臀部支持部材５の後方を開放空間とした場合や、貫通孔８を塞いだ場合、着座者３が自然と背筋を伸ばすという効果が生じにくいことが発明者の研究により判明している。
【００３７】  特に本実施形態では、尾骨等対応部位Ｐ２が当接部材１６に触れた状態である。このため、着座者３は、尾骨等に当接部材１６が接触しているとの感触を得ることになり、この感触が一種の刺激となって意識的または無意識的に背筋を伸ばさせることが考えられる。
【００３８】  また、図４で示すように、一対の坐骨と尾骨等とは三角形を形成している。また一対の坐骨および尾骨等は、着座時に臀部から張り出す骨である。このため、図１、２で示すように、一対の坐骨および尾骨等に対応した位置に、一対の坐骨支持部材６Ｒ、６Ｌおよび当接部材１６を設けることによって、着座者３の臀部やその他の部分に過度な負担をかけることなく、３点支持によって臀部を支持することができる。そして、臀部を一対の坐骨および尾骨等の３点で支持することで、より効果的に着座者３の姿勢を正すことができ、インナーマッスルに適度な力が加わった状態を維持できる結果、体幹を鍛えることが可能となる。
【００３９】  更に着座者３は、座具に着座したときに、自身の仙骨の下方側に地面２が見える状態で上下方向に延在する貫通孔が存在することを認識することによって、瞑想状態へ入りやすい状態となる。このため、本実施形態によれば、瞑想状態への移行を補助するための電子機器を有さない小型でシンブルな構成で着座者３を瞑想状態へ誘導できる。
【００４０】  着座者３が仙骨の下方側に貫通孔８が存在することを認識することにより、瞑想状態へ入りやすい状態となる理由としては以下の事項が考えられる。すなわち、着座者３が地面２と空（宇宙）とが、自身の仙骨および仙骨に接続する背骨を通してつながっているとのイメージを抱きやすく、このイメージが着座者３を瞑想状態へ入りやすい状態としていることが考えられる。人間にとって自身と自然とがつながっているとのイメージが、瞑想状態への移行によい影響を与えることは広く知られている。
【００４１】  更に、貫通孔８を介して地面２から着座者３の臀部まで空間が直接的につながっているため、着座者３に適度なリラックス状態を付与しつつ、場合によっては地面２から気のようなものを得ているとのイメージを着座者３に抱かせることができ、このことが着座者３を瞑想状態へ入りやすい状態としていることが考えられる。また、上述の通り座具１に正常に着座すると、着座者３は自然と背筋を伸ばし、インナーマッスルに適度な力が加わった状態となるが、この姿勢の良さ、および、良い姿勢が維持されることが瞑想状態への移行によい影響を与えていることが考えられる。なお、臀部支持部材５の後方側に、地面に連通しかつ上下方向に延在する貫通孔８を設けなかった場合、例えば、後方面部材１４を取り外して臀部支持部材５の後方を開放空間とした場合や、貫通孔８を塞いた場合、着座者３が瞑想状態へ入りやすい状態となるという効果が得られにくいことが発明者の研究により分かっている。
【００４２】＜第１変形例＞  次に上記実施形態の第１変形例について説明する。以下の第１変形例の説明において、上記実施形態と同一の要素については同一の符号を付与し詳細な説明は省略する。このことは後述する他の変形例についても同じである。
【００４３】  図７は、第１変形例に係る座具２０の斜視図である。本変形例に係る座具２０は、座椅子や正座用椅子として使用されることが想定されている。図７と図１との比較で明らかな通り、座具２０は、臀部支持部材２１の高さ（＝一対の坐骨支持部材２２Ｒ、２２Ｌの高さ）が、上記実施形態に係る臀部支持部材５の高さよりも低い。座具２０の臀部支持部材２１の高さは、座具２０の想定される使用態様によって適宜設計される。ただし、座具２０が座椅子または正座用椅子として使用される場合には、臀部支持部材２１の高さを６〜１５ｃｍとすることが好ましい。臀部支持部材２１の高さが６ｃｍ未満の場合には、着座の際の体勢が窮屈になるおそれがあり、当該高さが１５ｃｍを超えると、着座の際の姿勢が安定しないおそれがあるからである。
【００４４】  着座者３は、上記実施形態と同様、着座者３の一対の坐骨が一対の坐骨支持部材２２Ｒ、２２Ｌに支持され、かつ、着座者３の尾骨等対応部位Ｐ２に当接部材１６が当接した状態で座具２０に着座する。その際、着座者３は、座具２０を座椅子として使用する場合には例えば両足であぐらをかいた状態で座具２０に着座し、また座具２０を正座用椅子として使用する場合には例えば、右膝を１８０°近く折り曲げて右膝より下の部位を坐骨支持部材２２Ｒよりも右側に位置させ、左膝を１８０°近く折り曲げて左膝より下の部位を坐骨支持部材２２Ｌよりも左側に位置させ、正座に近い状態で座具２０に着座する。
【００４５】  着座者３が座具２０に着座したときの上背の姿勢や、着座者３の臀部より上の部位と、座具２０の各部材との関係は上記実施形態と同様であり、本変形例によれば上記実施形態と同様の効果を奏する。
【００４６】＜第２変形例＞  次に上記実施形態の第２変形例について説明する。図８は、第２変形例に係る座具２４の斜視図である。図８と図１との比較で明らかな通り、座具２４は、上記実施形態に係る当接部材１６が設けられていない点で上記実施形態と異なっている。着座者３が座具２４に着座し、着座者３の一対の坐骨が一対の坐骨支持部材６Ｒ、６Ｌに支持されると、貫通孔８の上方に着座者３の仙骨が位置した状態となる。これにより、着座者３の姿勢は上記実施形態のときと同様となり、第１実施形態で説明した効果（ただし、当接部材１６に由来する効果を除く）が生じる。
【００４７】＜第３変形例＞  次に上記実施形態の第３変形例について説明する。図９は、第３変形例に係る座具２６の斜視図である。図９と図１との比較で明らかな通り、座具２６は、臀部支持部材２７を構成する一対の坐骨支持部材２８Ｒ、２８Ｌおよび関連する部材が、上記実施形態に係る坐骨支持部材６Ｒ、６Ｌおよび関連する部材と異なっている。
【００４８】  詳述すると、座具２６では、貫通孔形成部材１０の上部に、第１実施形態と比較して高さが小さい一対の坐骨支持部材２８Ｒ、２８Ｌが取り付けられ、固定されている。以下、坐骨支持部材２８Ｒと坐骨支持部材２８Ｌとを区別しない場合は、「坐骨支持部材２８」という。一対の坐骨支持部材２８Ｒ、２８Ｌの上面の位置は、上記実施形態と同様、貫通孔形成部材１０の上面の位置よりも若干高くなっている。
【００４９】  更に図９で示すように、貫通孔形成部材１０の下部には、一対の足部材２９Ｒ、２９Ｌが固定されている。以下、足部材２９Ｒと足部材２９Ｌとを区別しない場合は、「足部材２９」という。足部材２９の形状は、坐骨支持部材２８の形状と同一である。一対の足部材２９Ｒ、２９Ｌの下面と貫通孔形成部材１０の下面とは同一平面上に位置している。一対の足部材２９Ｒ、２９Ｌの下面は、その全域が地面２に接触し、地面２に対して座具２６を起立させる。貫通孔形成部材１０が座具２６の転倒の防止に有効に機能することは上記実施形態と同様である。
【００５０】  着座者３が座具２６に正常に着座したときの姿勢や、着座者３の身体と座具２６の各部材との関係は上記実施形態と同様であり、本変形例によれば上記実施形態と同様の効果を奏する。更に本変形例によれば、座具２６の軽量化を図ることができる。なお、本変形例に係る座具２６について、第２変形例のように、当接部材１６を設けない構成としてもよい。
【００５１】  また、坐骨支持部材２８の形状と足部材２９の形状とは必ずしも同じにする必要はなく、例えば、図１０で示すように、足部材２９を、上面が四角形と半円とを組み合わせた形状の、柱状の部材により構成してもよい。この場合、上面視したときに半円の部分を、坐骨支持部材２８に嵌め込む。ただし坐骨支持部材２８の形状と足部材２９の形状とを同じとすれば座具１の量産に有利である。また足部材２９を貫通孔形成部材１０から着脱自在な構成としてもよい。足部材２９を取り外して使用することによって、座具２６に着座する着座者３は、座具２６の姿勢が安定するようにインナーマッスルに力を加え、この結果、体幹を鍛える効果をより高めることができる。
【００５２】＜第４変形例＞  次に上記実施形態の第４変形例について説明する。図１１は、第４変形例に係る座具３０の斜視図である。図１１と図１との比較で明らかな通り、本変形例に座具３０は、当接部材３１およびこれに関連する部材が上記実施形態と異なっている。詳述すると、本変形例では、後方面部材１４において接触部分７に対向する位置に、円柱状の当接部支持部材３２が取り付けられる。この当接部支持部材３２の上面に、上記実施形態に係る当接部材１６の上半分の部分の形状と大体同じ形状の当接部材３１が取り付けられる。
【００５３】  着座者３が座具３０に着座したときの姿勢や、着座者３の身体と座具３０の各部材との関係は上記実施形態と同様であり、本変形例によれば上記実施形態と同様の効果を奏する。更に本変形例によれば、当接部材３１をより安定的に貫通孔形成部材１０に固定することができる。なお、本変形例に係る座具３０について第１変形例のように、座具３０の高さを小さくし、座椅子や正座用椅子等として利用されるようにしてもよい。また、本変形例に係る座具３０について一対の坐骨支持部材６Ｒ、６Ｌに代えて、第３変形例に係る一対の坐骨支持部材２８Ｒ、２８Ｌおよび一対の足部材２９Ｒ、２９Ｌを第３変形例と同様の態様で設けるようにしてもよい。
【００５４】＜第５変形例＞  次に上記実施形態の第５変形例について説明する。図１２は、第５変形例に係る座具３３の斜視図である。図１３は、第５変形例に係る貫通孔形成部材３４の斜視図である。図１２と図１および図１３と図５との比較で明らかな通り、本変形例に係る座具３３は、貫通孔形成部材３４の形状が上記実施形態と異なっており、また、当接部材１６を有していない。詳述すると、貫通孔形成部材３４の後方面部材３５は、「上記実施形態に係る貫通孔形成部材１０の後方面部材１４に相当する後方面対応部分３６」に、「後方面部材１４の上面を基端として、上方に向かうほど断面の左右対称性が維持されつつ、断面の弧が長さが小さくなっていく臀部被覆部分３７」が付加された形状をしている。臀部被覆部分３７は、特許請求の範囲の「臀部被覆部」に相当する。臀部被覆部分３７は、上面視したときに貫通孔８を避けた場所に設けられており、本変形例においても上記実施形態と同様、上面視したときに貫通孔８を介して地面２が見える。
【００５５】  図１４は、着座者３が座具３３に正常に着座した様子を座具３３の右側から左方に向かって見た図である。着座者３が座具３３に正常に着座し、一対の坐骨が坐骨支持部材６Ｒ、６Ｌに支持された状態となると、図１４で示すように、臀部被覆部分３７が着座者３の臀部を後ろから包み込むように覆った状態となる。
【００５６】  本変形例によれば、上記実施形態で説明した効果に加え、以下の効果を奏する。すなわち、臀部を包み込むように延在し臀部の周囲に接触する臀部被覆部分３７の感触が、貫通孔８が延在する方向に沿って背筋を伸ばすことを着座者３に感覚的に意識させ、これにより着座者３が自然と背筋を伸ばそうとする。また、臀部被覆部分３７が着座者３の臀部を後ろから包み込むように支持するため、着座時の安定感を向上することが可能となり、瞑想への導入効果をより高めることができる。また、地面２から貫通孔８を介して直接、気のようなものが身体に注がれていくイメージを着座者３がより抱きやすく、瞑想状態への誘導効果をより高めることができる。
【００５７】  ただし、着座者３のインナーマッスルを鍛える観点からは、臀部被覆部分３７は設けない方が好ましいため、臀部被覆部分３７は、着脱式とすることができる。例えば図１３を参照し、図１３において破線で示す後方面対応部分３６と臀部被覆部分３７との境目で、臀部被覆部分３７を取り外せるようにすることで、座具３３を使用した当初は、安定して着座できるよう臀部被覆部分３７を取り付けた形で使用して瞑想状態への導入効果をより高め、座具３３の使用に慣れてきた後には、臀部被覆部分３７ を取り外し、インナーマッスルをより効果的に鍛えられるようにすることが可能となる。
【００５８】＜第６変形例＞  次に上記実施形態の第６変形例について説明する。図１５は、第６変形例に係る座具３９の臀部支持部材４０を構成する坐骨支持部材４１Ｒ、４１Ｌのうち、坐骨支持部材４１Ｒの斜視図である。図１６（Ａ）は、第６変形例に係る座具３９の上面図である。図１６（Ｂ）は、第６変形例に係る座具３９を座具３９の前側から後方へ向かった見た図である。
【００５９】  図１５、１６で示すように、坐骨支持部材４１Ｒは、円柱状の柱部分４２Ｒ（特許請求の範囲の「柱部」に相当）と、柱部分４２Ｒの上面から隆起した隆起部分４３Ｒ（特許請求の範囲の「隆起部」に相当）とを備える。図１６（Ａ）で示すように、隆起部分４３Ｒは、上面視したときに右方に向かうに従って前後方向の幅が小さくなるように、柱部分４２Ｒの上面の中心を通る仮想線に沿って左右方向に延在している。坐骨支持部材４１Ｌの形状は、坐骨支持部材４１Ｒの形状と同じである。図１６（Ａ）で示すように、坐骨支持部材４１Ｒと坐骨支持部材４１Ｌとは、左右対称に配置される。従って、坐骨支持部材４１Ｌの隆起部分４３Ｌは、上面視したときに左に向かうに従って前後方向の幅が小さくなるように、坐骨支持部材４１Ｌの柱部分４２Ｌの上面の中心を通る仮想線に沿って左右方向に延在している。上記実施形態に係る坐骨支持部材６Ｒ、６Ｌの高さと、本変形例に係る坐骨支持部材４１Ｒ、４１Ｌ（柱部分４２Ｒ、４２Ｌ＋隆起部分４３Ｒ、４３Ｌ）の高さとは大体同じとされる。
【００６０】  着座者３は、以下の態様で座具３９に着座する。すなわち、着座者３は、尾骨等対応部位Ｐ２が当接部材１６に触れ、かつ、一対の坐骨対応部位Ｐ１が一対の隆起部分４３Ｒ、４３Ｌのそれぞれの上面に接触した状態となるように座具３９に着座する。この結果、着座者３が座具３９に正常に着座すると、着座者３の一対の坐骨が一対の隆起部分４３Ｒ、４３Ｌにより支持された状態となる。
【００６１】  本変形例によれば、上記実施形態で説明した効果の他、以下の効果を奏する。すなわち上記実施形態では、一対の坐骨支持部材６Ｒ、６Ｌのそれぞれの上面が座面として機能したが、本変形例では、一対の隆起部分４３Ｒ、４３Ｌのそれぞれの上面が座面として機能する。上述した通り、一対の隆起部分４３Ｒ、４３Ｌの上面は、左右方向に細長い形状であり、着座者３が着座した際に、上記実施形態と比較して、臀部のうち、より狭い範囲が座面に接触した状態となる。このため、一対の隆起部分４３Ｒ、４３Ｌによって坐骨を的確に支持できる。また、背筋が曲がった状態のときは、着座者３の姿勢が安定しずらいことになる。このため、意識的または無意識的に着座者３に背筋を伸ばさせて、インナーマッスルに適度な力が加わった状態を維持させることができ、より効果的に体幹を鍛えることができる。
【００６２】  なお、坐骨支持部材４１Ｒの隆起部分４３Ｒの形状を、図１７で示すように、上面視したときに、前後方向の幅が一定のまま柱部分４２Ｒの上面の中心を通る仮想線に沿って左右方向に延在する形状としてもよい。坐骨支持部材４１Ｌの隆起部分４３Ｌについても同様である。
【００６３】  また、本変形例において、隆起部分４３Ｒ、４３Ｌを、ゴム製の部材等の柔軟性を有する部材から構成し、柱部分４２Ｒ、４２Ｌを、金属やプラスチック、炭素繊維、木等の硬質性の材料から構成することができる。これによって、坐骨へ加わる負担を減らしつつ、貫通孔形成部材１０との接続を強固に行うことができる。
【００６４】  また、他の変形例について、本変形例に係る隆起部分４３Ｒ、４３Ｌに対応する部材を設ける構成としてもよい。
【００６５】＜第７変形例＞  次に上記実施形態の第７変形例について説明する。図１８（Ａ）は、第７変形例に係る座具４５の上面図である。図１８（Ｂ）は、第７変形例に係る座具４５を座具４５の前側から後方へ向かった見た図である。第７変形例の説明において、第６変形例の要素と同一の要素については同一の符号を付し、その説明を省略する。
【００６６】  本変形例に係る座具４５の臀部支持部材４６を構成する坐骨支持部材４７Ｒ、４７Ｌは、第６変形例に係る坐骨支持部材４１Ｒ、４１Ｌと形状が異なっている。すなわち、坐骨支持部材４７Ｒに着目すると、坐骨支持部材４７Ｒは、円柱状の柱部分４２Ｒの上面から、円柱状の隆起部分４８Ｒが隆起した形状となっている。隆起部分４８Ｒの上面の径は、柱部分４２Ｒの上面の径に対して十分に小さく、また、隆起部分４８Ｒの軸は、柱部分４２Ｒの軸と同一軸上にある。坐骨支持部材４７Ｌは、坐骨支持部材４７Ｒと同様の態様で、同一形状の隆起部分４８Ｌを備える。
【００６７】  着座者３は、以下の態様で座具４５に着座する。すなわち、着座者３は、尾骨等対応部位Ｐ２が当接部材１６に触れ、かつ、一対の坐骨対応部位Ｐ１が一対の隆起部分４８Ｒ、４８Ｌの上面に接触し、一対の坐骨が一対の隆起部分４８Ｒ、４８Ｌに支持された状態となるように座具４５に着座する。
【００６８】  本変形例によれば、上記実施形態で説明した効果の他、以下の効果を奏する。すなわち、本変形例では、一対の隆起部分４８Ｒ、４８Ｌのそれぞれの上面が座面として機能する。図１６（Ａ）と図１８（Ａ）との比較で明らかな通り、本変形例の座面は、第６変形例に係る座具３９の座面よりも更に小さい。このため、着座者３は、安定した状態で座具４５に着座するためには、よりしっかりと一対の坐骨が一対の隆起部分４８Ｒ、４８Ｌに支持された状態とする必要があると共によりしっかりと背筋を伸ばす必要があり、またそのような必要があると着座者３に認識させ、または、イメージさせることができる。このため、意識的または無意識的に着座者３に背筋を伸ばさせて、インナーマッスルに適度な力が加わった状態を維持させることができ、より効果的に体幹を鍛えることができる。
【００６９】  なお、他の変形例について、本変形例に係る隆起部分４８Ｒ、４８Ｌに対応する部材を設ける構成としてもよい。
【００７０】＜第８変形例＞  次に上記実施形態の第８変形例について説明する。図１９は、第８変形例に係る座具５０の上面図である。図２と図１９との比較で明らかな通り、本変形例に係る座具５０の貫通孔形成部材５１は、右方側面部材１１および左方側面部材１２を備えていない。貫通孔形成部材５１は、接触部分７から坐骨支持部材６Ｒの背面に沿って一定量だけ離間した位置Ｘ１と、接触部分７から坐骨支持部材６Ｌの背面に沿って一定量だけ離間した位置Ｘ２との間に介在し、後方（臀部支持部材５の背面側）に向かって凸となるように湾曲した後方面部材５２を備えている。貫通孔５３は、坐骨支持部材６Ｒの背面の一部と、坐骨支持部材６Ｌの背面の一部と、後方面部材５２とで囲まれた部位に形成される。なお、後方面部材５２の位置Ｘ１には、坐骨支持部材６Ｒの側面と接する面を有する接触部が形成されており、この接触部に対して坐骨支持部材６Ｒが固着されることにより、坐骨支持部材６Ｒは後方面部材５２に固定される。同様に、後方面部材５２の位置Ｘ２には、坐骨支持部材６Ｌの側面と接する面を有する接触部が形成されており、この接触部に対して坐骨支持部材６Ｌが固着されることにより、坐骨支持部材６Ｌは後方面部材５２に固定される。
【００７１】  着座者３が座具５０に着座したときの姿勢や、着座者３の身体と座具５０の各部材との関係は上記実施形態と同様であり、本変形例によれば上記実施形態と同様の効果を奏する。なお、他の変形例について、貫通孔形成部材１０または貫通孔形成部材１０に対応する部材を本変形例のように構成してもよい。
【００７２】＜第９変形例＞  次に上記実施形態の第９変形例について説明する。図２０（Ａ）は、本変形例に係る座具５５の右側貫通孔形成部材５６Ｒ（特許請求の範囲の「一方貫通孔形成部」に相当）および左側貫通孔形成部材５６Ｌ（特許請求の範囲の「他方貫通孔形成部」に相当）を分解した様子を座具５５の上側から下方へ向かって見た図である。図２０（Ｂ）は、右側貫通孔形成部材５６Ｒと左側貫通孔形成部材５６Ｌとを後述する方法で接続した後の座具５５の様子を座具５５の上側から下方へ向かって見た図である。図２０（Ａ）、（Ｂ）の何れにおいても、当接部材１６の図示は省略してある。
【００７３】  上記実施形態では、貫通孔形成部材１０の後方面部材１４は一枚板で形成されており、後方面部材１４と右方側面部材１１と左方側面部材１２とが接続手段による接続を伴うことなく、一体となって貫通孔形成部材１０を構成していた。一方で本変形例では、貫通孔形成部材５６は分解可能である。
【００７４】  詳述すると、図２０（Ａ）で示すように、貫通孔形成部材５６は、右方側面部材６１Ｒとこれに接続された右側後方面部材５７Ｒ（特許請求の範囲の「一方後方面部」に相当）からなる右側貫通孔形成部材５６Ｒ（特許請求の範囲の「一方貫通孔形成部」に相当）、および、左方側面部材６１Ｌとこれに接続された左側後方面部材５７Ｌ（特許請求の範囲の「他方後方面部」に相当）からなる左側貫通孔形成部材５６Ｌ（特許請求の範囲の「他方貫通孔形成部」に相当）が接続されて構成される。右側後方面部材５７Ｒは、上記実施形態の後方面部材１４の右半分の部位に対応し、左側後方面部材５７Ｌは、上記実施形態の後方面部材１４の左半分の部位に対応する。
【００７５】  右側貫通孔形成部材５６Ｒと左側貫通孔形成部材５６Ｌとは以下のようにして接続される。すなわち、図２０（Ｂ）で示すように、右方側面部材１１の左側の端部と左方側面部材１２の右側の端部と接触部分７で接触し、かつ、右側後方面部材５７Ｒの先端部と左側後方面部材５７Ｌの先端部とが重複部分５８で重なるように、右側貫通孔形成部材５６Ｒと左側貫通孔形成部材５６Ｌとが位置決めされる。なお、右側貫通孔形成部材５６Ｒおよび左側貫通孔形成部材５６Ｌのそれぞれは、同一形状であり、右側後方面部材５７Ｒおよび左側後方面部材５７Ｌはそれぞれ、重複部分５８が形成されるように設計される。
【００７６】  図２０の各図では図示はされていないが、右側後方面部材５７Ｒおよび左側後方面部材５７Ｌのそれぞれの重複部分５８に相当する部位には、重複部分５８において重なり合う位置にネジ止め用の孔が形成されている。ネジ止め用の孔は、上下方向に間隔を開けて複数、設けられている。そして、ネジ止め用の孔のそれぞれに外側からボルト５９の軸部が挿通されると共に、内側からナット６０が螺合され、これにより右側貫通孔形成部材５６Ｒと左側貫通孔形成部材５６Ｌとが接続される。図示は省略するが、接続後、重複部分５８の上部に当接部材１６が取り付けられる。
【００７７】  本変形例によれば、完成品が上記実施形態で説明した効果と同様の効果を奏するのは勿論のこと、更に座具５５の製造に関して以下の優位性がある。すなわち、上述したように右側貫通孔形成部材５６Ｒと左側貫通孔形成部材５６Ｌとは同じ形状であるため、貫通孔形成部材１０の製造に際して、右側貫通孔形成部材５６Ｒにも左側貫通孔形成部材５６Ｌにもなる同じ形状の部材（当部材を便宜的に「片側部材」という）を製造すればよい。片側部材は、上記実施形態に係る貫通孔形成部材１０と比較して小型であり、構造が単純であるため、上記実施形態に係る貫通孔形成部材１０と比較して製造容易性が高い。
【００７８】  特に、貫通孔形成部材５６を木製材料にて構成する場合には、第１実施形態に係る貫通孔形成部材１０を木製材料にて構成する場合と比較して、製造容易性に関して以下の優位性がある。すなわち、上記実施形態に係る後方面部材１４は一枚板であり、座具１の製造にあたって、後方面部材１４とする十分な大きさの木製材料を準備をする必要があり、更に切り出しや曲げ等の加工を行う必要がある。そして、本変形例によれば、上記実施形態に係る後方面部材１４に対応する部材が第１実施形態と比較して小さいため、その分、木製材料の準備や、加工の困難性が低く、製造容易性が高い。
【００７９】  なお、本変形例では、ボルト５９およびナット６０を利用して重複部分５８にて右側貫通孔形成部材５６Ｒと左側貫通孔形成部材５６Ｌとを接続する構成であったが、接続の手段は例示したものに限らず、ボルト５９およびナット６０以外の部品を用いた接続の他、接着、溶接、テーピング等であってもよい。
【００８０】  また、他の変形例について、貫通孔形成部材１０または貫通孔形成部材１０に対応する部材を本変形例のように構成してもよい。特に、第８変形例に係る座具５０に本変形例の技術を適用した場合、図２１で示すように、座具５０の貫通孔形成部材６２は以下の構成を有する。すなわち、貫通孔形成部材５１は、後方面部材５２の一方の半分の部位に対応する右側後方面部材６３Ｒ（特許請求の範囲の「一方後方面部」に相当）、および後方面部材５２の他方の半分の部位に対応する左側後方面部材６３Ｌ（特許請求の範囲の「他方後方面部」に相当）が接続されて構成され、右側後方面部材６３Ｒ、および、左側後方面部材６３Ｌは同一形状である。
【００８１】＜その他の変形例＞  次に上記実施形態の他の変形例について説明する。以下のその他の変形例では、説明の便宜のため、上記実施形態と同一の機能を有する要素について同一の符号を付与する。
【００８２】  上記実施形態では、臀部支持部材５の一対の坐骨支持部材６Ｒ、６Ｌの形状は、円柱であった。しかしながら、一対の坐骨支持部材６Ｒ、６Ｌの形状は円柱である必要はなく、一例として以下の形状であってもよい。例えば図２２（Ａ）で示すように、坐骨支持部材６は、断面が仮想線を堺に曲率の異なる円の一部が接続された面となっている柱状の部材であってもよい。また図示は省略するが、坐骨支持部材６は、断面が楕円形や、三角形（丸みを帯びた三角形でもよい）、四角形（丸みを帯びた四角形でもよい）、その他の多角形の柱状の部材であってもよい。以上のことは第１〜９変形例についても同様である。
【００８３】  また、臀部支持部材５を透明部材で構成してもよい。透明部材は例えば、ガラス、透明樹脂である。この構成によれば、着座者３は、臀部支持部材５を介して視認される地面２を認識することにより、地面２と空（宇宙）とが自身（特に、仙骨から上方に向かって延びる背骨）を介してつながっているとのイメージをより容易に得ることでき、より効果的に着座者３を瞑想状態へ誘導できる。以上のことは第１〜９変形例についても同様である。
【００８４】  また、貫通孔形成部材１０の形状は、上記実施形態で説明した形状に限られない。例えば図２１（Ｂ）で示すように、臀部支持部材５の後方側に向かって凸となるように左右方向の中央部の一点で屈曲した形状であってもよい。また図２１（Ｃ）で示すように、臀部支持部材５の後方側に向かって凸となるように左右方向に離間した二点で屈曲した形状であってもよい。
【００８５】  また、貫通孔形成部材１０については、上下方向に伸縮可能な構造にすることができる。伸縮可能とすることで、状況に応じて、座具１を上記実施形態のように腰掛け用の椅子として使用したり、第１変形例のように座椅子や正座用椅子として使用したりすることができる。なおこの場合、事前に、高さの異なる坐骨支持部材６を複数用意しておき、貫通孔形成部材１０の伸縮状態に応じて適切な高さの坐骨支持部材６を貫通孔形成部材１０の適切な位置にセットする必要がある。貫通孔形成部材１０を伸縮可能にする手段としては、公知の技術を適宜用いることができる。例えば、テレスコピックパイプ構造、ラチス構造、モノコック・シェル構造、蛇腹構造等があげられる。
【００８６】  更に、座具１に着座者３の臀部の固定を高めるための部材や、背もたれ等の着座を補助する部材を設ける構成としてもよい。
【００８７】  以上、本発明の実施形態およびその変形例について説明したが、上記実施形態および変形例は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００８８】  １、２０、２４、２６、３０、３３、３９，４５、５０，５５  座具  ２  地面  ３  着座者  ５、２１、２７、４０、４６  臀部支持部材  ６Ｌ、６Ｒ、２２Ｌ、２２Ｒ、２８Ｌ、２８Ｒ、４１Ｌ、４１Ｒ、４７Ｌ、４７Ｒ  坐骨支持部材  ８、５３  貫通孔  １０、３４、５１、５６、６２  貫通孔形成部材  １１、６１Ｒ  右方側面部材  １２、６１Ｌ  左方側面部材  １４、３５、５２  後方面部材（後方面部）  １６、３１  当接部材（当接部）  ３７  臀部被覆部分（臀部被覆部）  ４３Ｌ、４３Ｒ、４８Ｌ、４８Ｒ  隆起部分  ５６Ｒ  右側貫通孔形成部材（一方貫通孔形成部）  ５６Ｌ  左側貫通孔形成部材（他方貫通孔形成部）  ５７Ｒ、６３Ｒ  右側後方面部材（一方後方面部）  ５７Ｌ、６３Ｌ  左側後方面部材（他方後方面部）
【図１】
2021111638.tif 000003
【図２】
2021111638.tif 000004
【図３】
2021111638.tif 000005
【図４】
2021111638.tif 000006
【図５】
2021111638.tif 000007
【図６】
2021111638.tif 000008
【図７】
2021111638.tif 000009
【図８】
2021111638.tif 000010
【図９】
2021111638.tif 000011
【図１０】
2021111638.tif 000012
【図１１】
2021111638.tif 000013
【図１２】
2021111638.tif 000014
【図１３】
2021111638.tif 000015
【図１４】
2021111638.tif 000016
【図１５】
2021111638.tif 000017
【図１６】
2021111638.tif 000018
【図１７】
2021111638.tif 000019
【図１８】
2021111638.tif 000020
【図１９】
2021111638.tif 000021
【図２０】
2021111638.tif 000022
【図２１】
2021111638.tif 000023
【図２２】
2021111638.tif 000024
【手続補正書】
【提出日】令和2年6月19日(2020.6.19)
【手続補正１】
【補正対象書類名】明細書
【補正対象項目名】０００７
【補正方法】変更
【補正の内容】
【０００７】
上記した課題を解決するために、本発明の座具は、着座者の着座時に前記着座者の臀部を支持する臀部支持部材と、前記臀部支持部材の後方に設けられた貫通孔形成部材と、を備え、前記臀部支持部材と前記貫通孔形成部材とで囲まれた部位に、前記臀部支持部材に臀部が支持された状態で着座する前記着座者の仙骨の下方側において、上面視したときに地面が見える状態で地面に至るまで上下方向に延在する貫通孔が形成されている。
【手続補正２】
【補正対象書類名】特許請求の範囲
【補正対象項目名】全文
【補正方法】変更
【補正の内容】
【特許請求の範囲】
【請求項１】
着座者の着座時に前記着座者の臀部を支持する臀部支持部材と、前記臀部支持部材の後方に設けられた貫通孔形成部材と、を備え、
前記臀部支持部材と前記貫通孔形成部材とで囲まれた部位に、前記臀部支持部材に臀部が支持された状態で着座する前記着座者の仙骨の下方側において、上面視したときに地面が見える状態で地面に至るまで上下方向に延在する貫通孔が形成されている、
ことを特徴とする座具。
【請求項２】
前記貫通孔形成部材に、前記臀部支持部材に臀部が支持された状態で着座する前記着座者の尾骨ないし仙骨に対応する部位に接触する当接部材が設けられている、ことを特徴とする請求項１に記載の座具。
【請求項３】
前記貫通孔形成部材の上面が前記臀部支持部材の上面と略同じ高さに設定されていると共に、前記当接部材が前記臀部支持部材の上面よりも上方に突出している、ことを特徴とする請求項２に記載の座具。
【請求項４】
前記当接部材が前記貫通孔形成部材に着脱可能に取り付けられている、ことを特徴とする請求項２または３に記載の座具。
【請求項５】
前記臀部支持部材は、前記着座者の着座時に前記着座者の一対の坐骨を支持する一対の坐骨支持部を備えることを特徴とする請求項１に記載の座具。
【請求項６】
１つの前記坐骨支持部は、柱状の部材であり、前記臀部支持部材は、前記一対の坐骨支持部の側面が接触部分で接触するように並んで配置されることによって構成され、前記着座者が着座したときに、一方の坐骨が一方の坐骨支持部に支持され、他方の坐骨が他方の坐骨支持部に支持され、前記着座者の上半身の左右方向の中心部に前記接触部分が位置するようにしたことを特徴とする請求項５に記載の座具。
【請求項７】
前記貫通孔形成部材は、前記接触部分を基端部として前記一方の坐骨支持部の後方側の面に沿って一定量だけ延在する一方側面部と、前記接触部分を基端部として前記他方の坐骨支持部の後方側の面に沿って一定量だけ延在する他方側面部と、前記一方側面部の先端部と前記他方側面部の先端部との間に介在し、前記臀部支持部材の後方側に向かって凸となるように湾曲または屈曲した後方面部とを備え、
前記貫通孔は、前記一方側面部と前記他方側面部と前記後方面部とで囲まれた部位に形成されることを特徴とする請求項６に記載の座具。
【請求項８】
前記貫通孔形成部材は、前記一方側面部と、前記一方側面部に接続され、前記後方面部の左右方向の一方の半分の部位に対応する一方後方面部とを有する一方貫通孔形成部、および前記他方側面部と、前記他方側面部に接続され、前記後方面部の左右方向の他方の半分の部位に対応する他方後方面部とを有する他方貫通孔形成部が接続されて構成され、
前記一方貫通孔形成部および前記他方貫通孔形成部は同一形状であることを特徴とする請求項７に記載の座具。
【請求項９】
前記貫通孔形成部材は、前記接触部分から前記一方の坐骨支持部の後方側の面に沿って一定量だけ離間した位置と、前記接触部分から前記他方の坐骨支持部の後方側の面に沿って一定量だけ離間した位置との間に介在し、前記臀部支持部の後方側に向かって凸となるように湾曲または屈曲した後方面部を備え、
前記貫通孔は、前記一方の坐骨支持部の後方側の面の一部と、前記他方の坐骨支持部の後方側の面の一部と、前記後方面部とで囲まれた部位に形成されることを特徴とする請求項６に記載の座具。
【請求項１０】
前記後方面部において前記接触部分に対向する位置に設けられ、前記臀部支持部材に臀部が支持された状態で着座する前記着座者の尾骨ないし仙骨に対応する部位に接触する当接部材を更に備えることを特徴とする請求項９に記載の座具。
【請求項１１】
前記貫通孔形成部材は、前記後方面部の左右方向の一方の半分の部位に対応する一方後方面部、および、前記後方面部の左右方向の他方の半分の部位に対応する他方後方面部が接続されて構成され、
前記一方後方面部、および、前記他方後方面部は同一形状であることを特徴とする請求項９または１０に記載の座具。
【請求項１２】
１つの前記坐骨支持部は、柱状の柱部と、前記柱部の上面から隆起した隆起部とを備え、
前記着座者が着座したときに、一方の坐骨が前記一方の坐骨支持部の前記隆起部に支持され、他方の坐骨が前記他方の坐骨支持部の前記隆起部に支持されるようにしたことを特徴とする請求項６から１１の何れか１項に記載の座具。
【請求項１３】
前記隆起部は、上面視したとときに、前記柱部の上面の中央部を通って左右方向に延在していることを特徴とする請求項１２に記載の座具。
【請求項１４】
前記隆起部は、前記柱部の上面から隆起した柱状の部材であることを特徴とする請求項１２に記載の座具。
【請求項１５】
前記臀部支持部材は透明部材で構成されていることを特徴とする請求項１から１４の何れか１項に記載の座具。
【手続補正書】
【提出日】令和2年8月24日(2020.8.24)
【手続補正１】
【補正対象書類名】明細書
【補正対象項目名】０００７
【補正方法】変更
【補正の内容】
【０００７】
上記した課題を解決するために、本発明の座具は、着座者の着座時に前記着座者の臀部を支持する臀部支持部材と、前記臀部支持部材の後方に設けられた後方面部材と、を備え、前記臀部支持部材と前記後方面部材とで囲まれた部位に、前記臀部支持部材に臀部が支持された状態で着座する前記着座者の仙骨の下方側において、上面視したときに地面が見える状態で地面に至るまで上下方向に延在する貫通孔が形成されている。
【手続補正２】
【補正対象書類名】特許請求の範囲
【補正対象項目名】全文
【補正方法】変更
【補正の内容】
【特許請求の範囲】
【請求項１】
着座者の着座時に前記着座者の臀部を支持する臀部支持部材と、前記臀部支持部材の後方に設けられた後方面部材と、を備え、
前記臀部支持部材と前記後方面部材とで囲まれた部位に、前記臀部支持部材に臀部が支持された状態で着座する前記着座者の仙骨の下方側において、上面視したときに地面が見える状態で地面に至るまで上下方向に延在する貫通孔が形成されている、
ことを特徴とする座具。
【請求項２】
前記後方面部材に、前記臀部支持部材に臀部が支持された状態で着座する前記着座者の尾骨ないし仙骨に対応する部位に接触する当接部材が設けられている、ことを特徴とする請求項１に記載の座具。
【請求項３】
前記後方面部材の上面が前記臀部支持部材の上面と略同じ高さに設定されていると共に、前記当接部材が前記臀部支持部材の上面よりも上方に突出している、ことを特徴とする請求項２に記載の座具。
【請求項４】
前記当接部材が前記後方面部材に着脱可能に取り付けられている、ことを特徴とする請求項２または３に記載の座具。
【請求項５】
前記臀部支持部材は、前記着座者の着座時に前記着座者の一対の坐骨を支持する一対の坐骨支持部を備えることを特徴とする請求項１に記載の座具。
【請求項６】
１つの前記坐骨支持部は、柱状の部材であり、前記臀部支持部材は、前記一対の坐骨支持部の側面が接触部分で接触するように並んで配置されることによって構成され、前記着座者が着座したときに、一方の坐骨が一方の坐骨支持部に支持され、他方の坐骨が他方の坐骨支持部に支持され、前記着座者の上半身の左右方向の中心部に前記接触部分が位置するようにしたことを特徴とする請求項５に記載の座具。
【請求項７】
前記接触部分を基端部として前記一方の坐骨支持部の後方側の面に沿って一定量だけ延在する一方側面部材と、前記接触部分を基端部として前記他方の坐骨支持部の後方側の面に沿って一定量だけ延在する他方側面部材と、前記一方側面部材の先端部と前記他方側面部材の先端部との間に介在し、前記臀部支持部材の後方側に向かって凸となるように湾曲または屈曲した前記後方面部材と、によって貫通孔形成部材が構成され、
前記貫通孔は、前記一方側面部と前記他方側面部と前記後方面部とで囲まれた部位に形成されることを特徴とする請求項６に記載の座具。
【請求項８】
前記貫通孔形成部材は、前記一方側面部材と、前記一方側面部材に接続され、前記後方面部材の左右方向の一方の半分の部位に対応する一方後方面部とを有する一方貫通孔形成部、および前記他方側面部材と、前記他方側面部材に接続され、前記後方面部材の左右方向の他方の半分の部位に対応する他方後方面部とを有する他方貫通孔形成部が接続されて構成され、
前記一方貫通孔形成部および前記他方貫通孔形成部は同一形状であることを特徴とする請求項７に記載の座具。
【請求項９】
前記後方面部材は、前記接触部分から前記一方の坐骨支持部の後方側の面に沿って一定量だけ離間した位置と、前記接触部分から前記他方の坐骨支持部の後方側の面に沿って一定量だけ離間した位置との間に介在し、前記臀部支持部の後方側に向かって凸となるように湾曲または屈曲した部材からなり、
前記貫通孔は、前記一方の坐骨支持部の後方側の面の一部と、前記他方の坐骨支持部の後方側の面の一部と、前記後方面部材とで囲まれた部位に形成されることを特徴とする請求項６に記載の座具。
【請求項１０】
前記後方面部材は、前記後方面部材の左右方向の一方の半分の部位に対応する一方後方面部、および、前記後方面部材の左右方向の他方の半分の部位に対応する他方後方面部が接続されて構成され、
前記一方後方面部、および、前記他方後方面部は同一形状であることを特徴とする請求項９に記載の座具。
【請求項１１】
１つの前記坐骨支持部は、柱状の柱部と、前記柱部の上面から隆起した隆起部とを備え、  前記着座者が着座したときに、一方の坐骨が前記一方の坐骨支持部の前記隆起部に支持され、他方の坐骨が前記他方の坐骨支持部の前記隆起部に支持されるようにしたことを特徴とする請求項６から１０の何れか１項に記載の座具。
【請求項１２】
前記隆起部は、上面視したとときに、前記柱部の上面の中央部を通って左右方向に延在していることを特徴とする請求項１１に記載の座具。
【請求項１３】
前記隆起部は、前記柱部の上面から隆起した柱状の部材であることを特徴とする請求項１１に記載の座具。
【請求項１４】
前記臀部支持部材は透明部材で構成されていることを特徴とする請求項１から１３の何れか１項に記載の座具。
【手続補正書】
【提出日】令和3年5月28日(2021.5.28)
【手続補正１】
【補正対象書類名】明細書
【補正対象項目名】０００７
【補正方法】変更
【補正の内容】
【０００７】
上記した課題を解決するために、本発明の座具は、着座者の着座時に前記着座者の臀部を支持する臀部支持部材と、前記臀部支持部材の後方に設けられた貫通孔形成部材と、を備え、前記貫通孔形成部材は、前記臀部支持部材の後方側に向かって凸となるように湾曲または屈曲した後方面部材を有しており、前記後方面部材の上面が前記臀部支持部材の上面と略同じ高さに設定されていると共に、前記臀部支持部材と前記後方面部材との間に、前記臀部支持部材に臀部が支持された状態で着座する前記着座者の仙骨の下方側において、上面視したときに地面が見える状態で地面に至るまで上下方向に延在する貫通孔が形成されており、前記後方面部材に、前記臀部支持部材に臀部が支持された状態で着座する前記着座者の尾骨ないし仙骨に対応する部位に接触する当接部材が設けられている。
【手続補正２】
【補正対象書類名】特許請求の範囲
【補正対象項目名】全文
【補正方法】変更
【補正の内容】
【特許請求の範囲】
【請求項１】
着座者の着座時に前記着座者の臀部を支持する臀部支持部材と、前記臀部支持部材の後方に設けられた貫通孔形成部材と、を備え、
前記貫通孔形成部材は、前記臀部支持部材の後方側に向かって凸となるように湾曲または屈曲した後方面部材を有しており、
前記後方面部材の上面が前記臀部支持部材の上面と略同じ高さに設定されていると共に、前記臀部支持部材と前記後方面部材との間に、前記臀部支持部材に臀部が支持された状態で着座する前記着座者の仙骨の下方側において、上面視したときに地面が見える状態で地面に至るまで上下方向に延在する貫通孔が形成されており、
前記後方面部材に、前記臀部支持部材に臀部が支持された状態で着座する前記着座者の尾骨ないし仙骨に対応する部位に接触する当接部材が設けられている、
ことを特徴とする座具。
【請求項２】
前記当接部材が前記後方面部材に着脱可能に取り付けられている、ことを特徴とする請求項２に記載の座具。
【請求項３】
前記臀部支持部材は、前記着座者の着座時に前記着座者の一対の坐骨を支持する一対の坐骨支持部を備えており、１つの前記坐骨支持部は、柱状の部材であり、前記臀部支持部材は、前記一対の坐骨支持部の側面が接触部分で接触するように並んで配置されることによって構成され、前記着座者が着座したときに、一方の坐骨が一方の坐骨支持部に支持され、他方の坐骨が他方の坐骨支持部に支持され、前記着座者の上半身の左右方向の中心部に前記接触部分が位置するようにしたことを特徴とする請求項１に記載の座具。
【請求項４】
前記貫通孔形成部材は、前記接触部分を基端部として前記一方の坐骨支持部の後方側の面に沿って一定量だけ延在する一方側面部材と、前記接触部分を基端部として前記他方の坐骨支持部の後方側の面に沿って一定量だけ延在する他方側面部材と、前記一方側面部材の先端部と前記他方側面部材の先端部との間に介在する前記後方面部材と、によって構成されており、
前記貫通孔は、前記一方側面部材と前記他方側面部材と前記後方面部材とで囲まれた部位に形成されていることを特徴とする請求項３に記載の座具。
【請求項５】
前記後方面部材は、前記接触部分から前記一方の坐骨支持部の後方側の面に沿って一定量だけ離間した位置と、前記接触部分から前記他方の坐骨支持部の後方側の面に沿って一定量だけ離間した位置との間に介在し、前記臀部支持部の後方側に向かって凸となるように湾曲または屈曲した部材からなり、
前記貫通孔は、前記一方の坐骨支持部の後方側の面の一部と、前記他方の坐骨支持部の後方側の面の一部と、前記後方面部材とで囲まれた部位に形成されていることを特徴とする請求項３に記載の座具。
【請求項６】
前記後方面部材は、前記後方面部材の左右方向の一方の半分の部位に対応する一方後方面部、および、前記後方面部材の左右方向の他方の半分の部位に対応する他方後方面部が接続されて構成され、
前記一方後方面部、および、前記他方後方面部は同一形状であることを特徴とする請求項５に記載の座具。
【請求項７】
１つの前記坐骨支持部は、柱状の柱部と、前記柱部の上面から隆起した隆起部とを備え、  前記着座者が着座したときに、一方の坐骨が前記一方の坐骨支持部の前記隆起部に支持され、他方の坐骨が前記他方の坐骨支持部の前記隆起部に支持されるようにしたことを特徴とする請求項３から６の何れか１項に記載の座具。
【請求項８】
前記隆起部は、上面視したとときに、前記柱部の上面の中央部を通って左右方向に延在していることを特徴とする請求項７に記載の座具。
【請求項９】
前記隆起部は、前記柱部の上面から隆起した柱状の部材であることを特徴とする請求項７に記載の座具。
【請求項１０】
前記臀部支持部材は透明部材で構成されていることを特徴とする請求項１から９の何れか１項に記載の座具。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
着座者の着座時に前記着座者の臀部を支持する臀部支持部材と、前記臀部支持部材の後方に設けられた貫通孔形成部材と、を備え、
前記貫通孔形成部材は、前記臀部支持部材の後方側に向かって凸となるように湾曲または屈曲した後方面部材を有しており、
前記後方面部材の上面が前記臀部支持部材の上面と略同じ高さに設定されていると共に、前記臀部支持部材と前記後方面部材との間に、前記臀部支持部材に臀部が支持された状態で着座する前記着座者の仙骨の下方側において、上面視したときに地面が見える状態で地面に至るまで上下方向に延在する貫通孔が形成されており、
前記後方面部材に、前記臀部支持部材に臀部が支持された状態で着座する前記着座者の尾骨ないし仙骨に対応する部位に接触する当接部材が設けられている、
ことを特徴とする座具。
【請求項２】
前記当接部材が前記後方面部材に着脱可能に取り付けられている、ことを特徴とする請求項１に記載の座具。
【請求項３】
前記臀部支持部材は、前記着座者の着座時に前記着座者の一対の坐骨を支持する一対の坐骨支持部を備えており、１つの前記坐骨支持部は、柱状の部材であり、前記臀部支持部材は、前記一対の坐骨支持部の側面が接触部分で接触するように並んで配置されることによって構成され、前記着座者が着座したときに、一方の坐骨が一方の坐骨支持部に支持され、他方の坐骨が他方の坐骨支持部に支持され、前記着座者の上半身の左右方向の中心部に前記接触部分が位置するようにしたことを特徴とする請求項１に記載の座具。
【請求項４】
前記貫通孔形成部材は、前記接触部分を基端部として前記一方の坐骨支持部の後方側の面に沿って一定量だけ延在する一方側面部材と、前記接触部分を基端部として前記他方の坐骨支持部の後方側の面に沿って一定量だけ延在する他方側面部材と、前記一方側面部材の先端部と前記他方側面部材の先端部との間に介在する前記後方面部材と、によって構成されており、
前記貫通孔は、前記一方側面部材と前記他方側面部材と前記後方面部材とで囲まれた部位に形成されていることを特徴とする請求項３に記載の座具。
【請求項５】
前記後方面部材は、前記接触部分から前記一方の坐骨支持部の後方側の面に沿って一定量だけ離間した位置と、前記接触部分から前記他方の坐骨支持部の後方側の面に沿って一定量だけ離間した位置との間に介在し、前記臀部支持部の後方側に向かって凸となるように湾曲または屈曲した部材からなり、
前記貫通孔は、前記一方の坐骨支持部の後方側の面の一部と、前記他方の坐骨支持部の後方側の面の一部と、前記後方面部材とで囲まれた部位に形成されていることを特徴とする請求項３に記載の座具。
【請求項６】
前記後方面部材は、前記後方面部材の左右方向の一方の半分の部位に対応する一方後方面部、および、前記後方面部材の左右方向の他方の半分の部位に対応する他方後方面部が接続されて構成され、
前記一方後方面部、および、前記他方後方面部は同一形状であることを特徴とする請求項５に記載の座具。
【請求項７】
１つの前記坐骨支持部は、柱状の柱部と、前記柱部の上面から隆起した隆起部とを備え、  前記着座者が着座したときに、一方の坐骨が前記一方の坐骨支持部の前記隆起部に支持され、他方の坐骨が前記他方の坐骨支持部の前記隆起部に支持されるようにしたことを特徴とする請求項３から６の何れか１項に記載の座具。
【請求項８】
前記隆起部は、上面視したとときに、前記柱部の上面の中央部を通って左右方向に延在していることを特徴とする請求項７に記載の座具。
【請求項９】
前記隆起部は、前記柱部の上面から隆起した柱状の部材であることを特徴とする請求項７に記載の座具。
【請求項１０】
前記臀部支持部材は透明部材で構成されていることを特徴とする請求項１から９の何れか１項に記載の座具。
【国際調査報告】
2021111638.tif 000025
2021111638.tif 000026
2021111638.tif 000027
2021111638.tif 000028